(57)【特許請求の範囲】
【請求項１】
内視鏡カメラの周面を覆うドレープ部と、前記ドレープ部の先端に設けられ、内視鏡と前記内視鏡カメラとを連結する連結部材と、を備える内視鏡カメラ用ドレープのうち、前記連結部材に設けられる光学フィルムであって、
内視鏡から前記内視鏡カメラに入射される入射光の反射を抑制する反射抑制部を有し、
前記反射抑制部は、前記光学フィルムの表面に形成された凹凸構造であり、
前記凹凸構造を構成する凹凸の平均周期は、可視光波長以下である、光学フィルム。
【請求項２】
可視光の分光反射率が０．１〜１．８％である、請求項１に記載の光学フィルム。
【請求項３】
前記反射抑制部は、前記光学フィルムの曇りを抑制する、請求項１または２に記載の光学フィルム。
【請求項４】
前記反射抑制部は、親水性の樹脂を含み、
前記親水性の樹脂は、ポリオキシアルキル含有（メタ）アクリレート、４級アンモニウム塩含有（メタ）アクリレート、３級アミノ基含有（メタ）アクリレート、スルホン酸基含有モノマー、カルボン酸基含有モノマー、リン酸基含有モノマー、およびホスホン酸基含有モノマーのうち少なくともいずれかを含む、請求項３に記載の光学フィルム。
【請求項５】
ポリカーボネート樹脂を含む、請求項１〜４のいずれか１項に記載の光学フィルム。
【請求項６】
前記光学フィルムは、基材フィルムと、前記基材フィルムの表面に形成された前記反射抑制部と、を有し、
前記基材フィルムは、前記ポリカーボネート樹脂を含む、請求項５に記載の光学フィルム。
【請求項７】
内視鏡カメラの周面を覆うドレープ部の先端に設けられ、内視鏡と前記内視鏡カメラとを連結する連結部材であって、
請求項１〜６のいずれか１項に記載の光学フィルムを備える、連結部材。
【請求項８】
前記連結部材は、前記光学フィルムで構成される、請求項７に記載の連結部材。
【請求項９】
前記光学フィルムを覆う保護フィルムを備える、請求項７または８に記載の連結部材。
【請求項１０】
前記保護フィルムは、前記連結部材の表面形状に沿った形状を有する成型品である、請求項９に記載の連結部材。
【請求項１１】
内視鏡カメラの周面を覆うドレープ部と、請求項７〜１０のいずれか１項に記載の連結部材と、を備える、内視鏡カメラ用ドレープ。
【請求項１２】
請求項１１に記載の内視鏡カメラ用ドレープを備える、内視鏡装置。
【請求項１３】
請求項１２に記載の内視鏡装置を備える、医療システム。
【請求項１４】
内視鏡カメラの周面を覆うドレープ部と、前記ドレープ部の先端に設けられ、内視鏡と前記内視鏡カメラとを連結する連結部材と、を備える内視鏡カメラ用ドレープのうち、前記連結部材に設けられる光学フィルムの製造方法であって、
基材フィルムを準備する第１の工程と、
前記基材フィルムの表面に、内視鏡から前記内視鏡カメラに入射される入射光の反射を抑制する反射抑制部を形成する第２の工程と、を含み、
前記第２の工程では、前記反射抑制部として、前記光学フィルムの表面に凹凸構造を形成し、
前記凹凸構造を構成する凹凸の平均周期は、可視光波長以下である、光学フィルムの製造方法。
【請求項１５】
前記反射抑制部は、親水性の樹脂を含み、
前記親水性の樹脂は、ポリオキシアルキル含有（メタ）アクリレート、４級アンモニウム塩含有（メタ）アクリレート、３級アミノ基含有（メタ）アクリレート、スルホン酸基含有モノマー、カルボン酸基含有モノマー、リン酸基含有モノマー、およびホスホン酸基含有モノマーのうち少なくともいずれかを含む、請求項１４に記載の光学フィルムの製造方法。
【請求項１６】
前記基材フィルムは、ポリカーボネート樹脂を含む、請求項１４または１５に記載の光学フィルムの製造方法。
【請求項１７】
内視鏡カメラの周面を覆うドレープ部の先端に設けられ、内視鏡と前記内視鏡カメラとを連結する連結部材の製造方法であって、
請求項１〜６のいずれか１項に記載の光学フィルムを用いて前記連結部材を作製する、連結部材の製造方法。
【請求項１８】
前記光学フィルムを前記連結部材の形状に一体成型することで、前記連結部材を作製する、請求項１７に記載の連結部材の製造方法。
【発明の詳細な説明】
【技術分野】
【０００１】
本発明は、光学フィルム、連結部材、内視鏡カメラ用ドレープ、内視鏡装置、医療システム、光学フィルムの製造方法、及び連結部材の製造方法に関する。
【背景技術】
【０００２】
近年、例えば特許文献１〜５に開示されるように、内視鏡カメラ及び内視鏡カメラケーブルを内視鏡カメラ用ドレープで覆う技術が提案されている。この技術によれば、内視鏡カメラ及び内視鏡カメラケーブルが滅菌されていなくても、内視鏡カメラ及び内視鏡カメラケーブルの表面に付着した菌等が手術室内に飛散することを抑制することができる。また、体液等の飛沫物によって内視鏡カメラ及び内視鏡カメラケーブルが汚染されることを抑制することができる。このため、内視鏡カメラ及び内視鏡カメラケーブルの手術中における交換頻度が減少するので、手術時間の短縮及び患者の身体的負担の低減等が期待できる。また、内視鏡カメラ及び内視鏡カメラケーブルの滅菌処理が不要になるので、手術コストの低減、内視鏡カメラ及び内視鏡カメラケーブルの耐用年数向上等の効果も期待できる。
【０００３】
特許文献１に開示された技術では、ドレープ部の先端にグリップを設ける。そして、この技術では、グリップの先端に貫通穴が空いており、この貫通穴に内視鏡の挿入部（すなわち、患者の体内に装入される部分）が通される。そして、グリップが内視鏡と内視鏡カメラとの接続部分を覆う。施術者は、主にこのグリップを持って内視鏡を操作する。特許文献２〜４に開示された技術では、ドレープ部の先端を内視鏡のベース部（すなわち、内視鏡カメラに取り付けられる部分）に取り付ける。特許文献５に開示された技術では、ドレープ部の先端に連結部材が設けられている。連結部材は、ドレープ部の先端の開口を閉塞する。また、連結部材は、内視鏡と内視鏡カメラとを接続する。また、連結部材の中心部分（すなわち、内視鏡から前記内視鏡カメラに入射される入射光が通る部分）は、透明な部材で構成される。
【先行技術文献】
【特許文献】
【０００４】
【特許文献１】特開平８−２０６０５６号公報
【特許文献２】特開２０１４−１１３２４３号公報
【特許文献３】特開２００６−４３１２８号公報
【特許文献４】特開２０１０−２２０６８３号公報
【特許文献５】英国特許第２４８３１５４号明細書
【発明の概要】
【発明が解決しようとする課題】
【０００５】
しかし、特許文献１に開示された技術では、貫通穴の壁面と内視鏡の挿入部との間の気密性を維持することが極めて難しいという問題があった。このため、特許文献１に開示された技術では、飛沫物が貫通穴の壁面と内視鏡の挿入部との隙間からドレープ部の内部に侵入する可能性があるという問題があった。また、特許文献２〜４では、ドレープ部の先端と内視鏡との気密性を維持することが難しいという問題があった。このため、特許文献２〜４に開示された技術では、飛沫物がドレープ部の先端と内視鏡との隙間からドレープ部の内部に侵入する可能性があるという問題があった。また、特許文献１〜４に開示された技術では、ドレープ部で覆われた内視鏡カメラから内視鏡を取り外す場合、ドレープ部ごと内視鏡を内視鏡カメラから取り外すか、内視鏡をドレープ部及び内視鏡カメラから取り外す必要があった。前者の場合、内視鏡カメラが露出してしまう。後者の場合であっても、ドレープ部の先端が開口しているため、この開口から内視鏡カメラが露出してしまう。このため、内視鏡カメラから内視鏡を着脱する作業は、飛沫物による汚染の心配がない場所で行う必要があった。
【０００６】
一方、特許文献５に開示された技術では、連結部材及びドレープ部によって内視鏡カメラが覆われている。さらに、内視鏡は連結部材に着脱可能なので、内視鏡カメラが連結部材及びドレープ部によって覆われた状態で内視鏡を内視鏡カメラから着脱することができる。したがって、上記の問題は生じにくい。ただし、特許文献５に開示された技術では、連結部材の中心部分は、単に透明な部材で構成されるだけなので、この部分で入射光が反射してしまう可能性があった。連結部材で入射光が反射してしまうと、内視鏡カメラにより撮像された撮像画像の品質が劣化する可能性がある。
【０００７】
そこで、本発明は、上記問題に鑑みてなされたものであり、本発明の目的とするところは、内視鏡カメラを飛沫物から保護しつつ、撮像画像の品質劣化を抑制することが可能な、新規かつ改良された光学フィルム、連結部材、内視鏡カメラ用ドレープ、内視鏡装置、医療システム、光学フィルムの製造方法、及び連結部材の製造方法を提供することにある。
【課題を解決するための手段】
【０００８】
上記課題を解決するために、本発明のある観点によれば、
内視鏡カメラの周面を覆うドレープ部と、前記ドレープ部の先端に設けられ、内視鏡と前記内視鏡カメラとを連結する連結部材と、を備える内視鏡カメラ用ドレープのうち、前記連結部材に設けられる光学フィルムであって、
内視鏡から前記内視鏡カメラに入射される入射光の反射を抑制する反射抑制部を有し、
前記反射抑制部は、前記光学フィルムの表面に形成された凹凸構造であり、
前記凹凸構造を構成する凹凸の平均周期は、可視光波長以下である、光学フィルムが提供される。
【００１０】
また、可視光の分光反射率が０．１〜１．８％であってもよい。
【００１１】
また、反射抑制部は、光学フィルムの曇りを抑制してもよい。
【００１２】
また、前記反射抑制部は、親水性の樹脂を含み、
前記親水性の樹脂は、ポリオキシアルキル含有（メタ）アクリレート、４級アンモニウム塩含有（メタ）アクリレート、３級アミノ基含有（メタ）アクリレート、スルホン酸基含有モノマー、カルボン酸基含有モノマー、リン酸基含有モノマー、およびホスホン酸基含有モノマーのうち少なくともいずれかを含んでいてもよい。
【００１３】
また、ポリカーボネート樹脂を含んでいてもよい。
【００１４】
また、光学フィルムは、基材フィルムと、基材フィルムの表面に形成された反射抑制部と、を有し、基材フィルムは、ポリカーボネート樹脂を含んでいてもよい。
【００１５】
本発明の他の観点によれば、また、内視鏡カメラの周面を覆うドレープ部の先端に設けられ、内視鏡と内視鏡カメラとを連結する連結部材であって、上記光学フィルムを備える、連結部材が提供される。
【００１６】
ここで、連結部材は、光学フィルムで構成されていてもよい。
【００１７】
また、光学フィルムを覆う保護フィルムを備えていてもよい。
【００１８】
また、保護フィルムは、連結部材の表面形状に沿った形状を有する成型品であってもよい。
【００１９】
本発明の他の観点によれば、内視鏡カメラの周面を覆うドレープ部と、上記連結部材と、を備える、内視鏡カメラ用ドレープが提供される。
【００２０】
本発明の他の観点によれば、上記内視鏡カメラ用ドレープを備える、内視鏡装置が提供される。
【００２１】
本発明の他の観点によれば、上記内視鏡装置を備える、医療システムが提供される。
【００２２】
本発明の他の観点によれば、
内視鏡カメラの周面を覆うドレープ部と、前記ドレープ部の先端に設けられ、内視鏡と前記内視鏡カメラとを連結する連結部材と、を備える内視鏡カメラ用ドレープのうち、前記連結部材に設けられる光学フィルムの製造方法であって、
基材フィルムを準備する第１の工程と、
前記基材フィルムの表面に、内視鏡から前記内視鏡カメラに入射される入射光の反射を抑制する反射抑制部を形成する第２の工程と、を含み、
前記第２の工程では、前記反射抑制部として、前記光学フィルムの表面に凹凸構造を形成し、
前記凹凸構造を構成する凹凸の平均周期は、可視光波長以下である、光学フィルムの製造方法が提供される。
【００２４】
また、前記反射抑制部は、親水性の樹脂を含み、
前記親水性の樹脂は、ポリオキシアルキル含有（メタ）アクリレート、４級アンモニウム塩含有（メタ）アクリレート、３級アミノ基含有（メタ）アクリレート、スルホン酸基含有モノマー、カルボン酸基含有モノマー、リン酸基含有モノマー、およびホスホン酸基含有モノマーのうち少なくともいずれかを含んでいてもよい。
【００２５】
また、基材フィルムは、ポリカーボネート樹脂を含んでいてもよい。
【００２６】
本発明の他の観点によれば、内視鏡カメラの周面を覆うドレープ部の先端に設けられ、内視鏡と内視鏡カメラとを連結する連結部材の製造方法であって、上記光学フィルムを用いて連結部材を作製する、連結部材の製造方法が提供される。
【００２７】
ここで、光学フィルムを連結部材の形状に一体成型することで、連結部材を作製してもよい。
【発明の効果】
【００２８】
以上説明したように本発明によれば、連結部材及びドレープ部によって内視鏡カメラを飛沫物から保護することができる。さらに、連結部材に設けられる光学フィルムは、内視鏡から内視鏡カメラに入射される入射光の反射を抑制する反射抑制部を備える。したがって、撮像画像の品質劣化を抑制することができる。
【図面の簡単な説明】
【００２９】
【図１】本発明の実施形態に係る内視鏡装置の構成例を示す側断面図である。
【図２】内視鏡装置の第１の変形例を示す側断面図である。
【図３】内視鏡装置の第２の変形例を示す側断面図である。
【図４】内視鏡装置の第３の変形例を示す側断面図である。
【図５】内視鏡装置の第４の変形例を示す側断面図である。
【図６】光学フィルムの一例を示す断面図である。
【図７】光学フィルムの一例を示す斜視図である。
【発明を実施するための形態】
【００３０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３１】
＜１．内視鏡装置の全体構成＞
まず、図１に基づいて、本実施形態に係る内視鏡装置１００の全体構成について説明する。内視鏡装置１００は、内視鏡１１０と、光照射用ケーブル１２０と、内視鏡カメラ１３０と、内視鏡カメラケーブル１４０と、内視鏡カメラ用ドレープ２００とを備える。
【００３２】
内視鏡１１０は、ベース部１１１と、挿入部１１２とを備える。ベース部１１１の側面には、光照射用ケーブル１２０が接続され、先端部には、挿入部１１２が接続されている。ベース部１１１は、光照射用ケーブル１２０から供給された照射光を挿入部１１２に供給する。また、ベース部１１１は、挿入部１１２から供給された撮像光（すなわち、患者の体内で反射された照射光）を内視鏡カメラ１３０側に出射する。なお、図１中の矢印１２０ａは、照射光の光路を示し、矢印１１０ｃは撮像光の光路を示す。また、ベース部１１１の後端は、内視鏡カメラ用ドレープ２００の連結部材２２０に着脱可能となっている。
【００３３】
挿入部１１２は、患者の体内に挿入される部分である。挿入部１１２の先端から照射光が出射され、患者の体内で反射される。そして、患者の体内で反射された照射光、すなわち、撮像光は、挿入部１１２の先端に入射し、挿入部１１２内を通ってベース部１１１に到達する。その後、撮像光は、ベース部１１１及び連結部材２２０を通って内視鏡カメラ１３０に入射される。光照射用ケーブル１２０は、図示しない光源から発生した光を内視鏡１１０内に供給する。なお、照射光は可視光であるが、他の種類の光（例えば、赤外線）であってもよい。
【００３４】
なお、内視鏡１１０の形状は特に制限されない。例えば、図１では、挿入部１１２は硬性の挿入部となっているが、軟性の挿入部であってもよい。
【００３５】
内視鏡カメラ１３０は、内視鏡１１０から入射された撮像光を受光し、撮像画像を生成する。内視鏡カメラケーブル１４０は、内視鏡カメラ１３０で生成された撮像画像を表示装置等に送信する。内視鏡カメラ１３０及び内視鏡カメラケーブル１４０は特に制限されず、公知の内視鏡カメラ及び内視鏡カメラケーブルを任意に適用できる。
【００３６】
また、内視鏡カメラ１３０の先端部には、凹形状の連結部材嵌合部１３５が設けられている。連結部材嵌合部１３５は、連結部材２２０の内視鏡カメラ嵌合部２２２が着脱可能となっている。
【００３７】
内視鏡カメラ用ドレープ２００は、ドレープ部２１０と、連結部材２２０とを備える。ドレープ部２１０は、筒状かつ可撓性を有する部材であり、内視鏡カメラ１３０及び内視鏡カメラケーブル１４０の周面を覆う。ドレープ部２１０は、滅菌処理がなされている。また、ドレープ部２１０の材質は特に制限されず、公知のドレープ部と同様の材質で構成されてもよい。例えば、ドレープ部２１０は、ポリエチレン等で構成されていても良い。また、ドレープ部２１０の後端には、内視鏡カメラ用ドレープ２００を収容する収容部（いわゆる、コンテナ部）が連結されていても良い。
【００３８】
ドレープ部２１０の先端には、連結部材２２０が設けられている。連結部材２２０は、ドレープ部２１０の先端の開口を閉塞する。連結部材２２０は、内視鏡カメラ嵌合部２２２と、内視鏡嵌合部２２５と、光学フィルム１０とを備える。
【００３９】
内視鏡カメラ嵌合部２２２は、光学フィルム１０を保持し、かつ、後述するように、連結部材嵌合部１３５に着脱可能な部材である。具体的には、内視鏡カメラ嵌合部２２２の中心部分（具体的には、撮像光が通る部分）には、内視鏡カメラ嵌合部２２２を厚さ方向に貫通する貫通孔２２６が形成されている。なお、貫通孔２２６の平面視形状（すなわち、内視鏡カメラ嵌合部２２２の厚さ方向に垂直な断面形状）は円形であっても、矩形であっても、他の形状であってもよい。また、貫通孔２２６の壁面２２３ａには、凹溝２２４が形成されている。凹溝２２４は、壁面２２３ａの周方向の全長に渡って形成されている。そして、凹溝２２４には、光学フィルム１０がはめ込まれる。これにより、内視鏡カメラ嵌合部２２２は光学フィルム１０を保持する。なお、内視鏡カメラ嵌合部２２２が光学フィルム１０を保持する方法はこの例に限定されない。例えば、光学フィルム１０を内視鏡カメラ嵌合部２２２に溶着してもよい。
【００４０】
また、内視鏡カメラ嵌合部２２２は、連結部材嵌合部１３５に着脱可能となっている。連結部材嵌合部１３５と内視鏡カメラ嵌合部２２２とを着脱可能とするための構造は特に制限されない。例えば、内視鏡カメラ嵌合部２２２の外周面２２３ｂに嵌合用の凸部を形成し、連結部材嵌合部１３５の内周面１３５ａに当該凸部に嵌合する凹溝を形成してもよい。あるいは、内視鏡カメラ嵌合部２２２の外周面２２３ｂ及び連結部材嵌合部１３５の内周面１３５ａに互いに螺合するねじ山を形成してもよい。また、内視鏡カメラ嵌合部２２２の外周面２２３ｂは、内視鏡嵌合部２２５の外周底面部２２５ａに対して垂直になっていてもよいが、連結部材嵌合部１３５側に向けてわずかに内側に（すなわち、連結部材２２０の中心側に）傾斜していることが好ましい。この場合、連結部材２２０と内視鏡カメラ１３０との着脱が容易となる。なお、外周面２２３ｂの傾斜角度（すなわち、外周面２２３ｂと内視鏡嵌合部２２５の外周底面部２２５ａとのなす角度）は、例えば、８０〜９０°程度であることが好ましい。
【００４１】
内視鏡嵌合部２２５は、内視鏡カメラ嵌合部２２２の内視鏡１１０側の表面に設けられる。内視鏡嵌合部２２５は、凹形状の部材であり、内視鏡１１０のベース部１１１に着脱可能となっている。内視鏡嵌合部２２５とベース部１１１とを着脱可能とするための構造は特に制限されない。例えば、内視鏡嵌合部２２５の内周面２２５ｂに嵌合用の凹溝を形成し、ベース部１１１の外周面に当該凹溝に嵌合する凸部を形成してもよい。あるいは、内視鏡嵌合部２２５の内周面２２５ｂ及びベース部１１１の外周面に互いに螺合するねじ山を形成してもよい。また、内視鏡嵌合部２２５の外周底面部２２５ａには、ドレープ部２１０が連結される。内視鏡カメラ嵌合部２２２及び内視鏡嵌合部２２５を構成する材質は特に制限されず、公知の連結部材と同様の材質で構成されてもよい。例えば、内視鏡カメラ嵌合部２２２及び内視鏡嵌合部２２５は、ポリエチレン等で構成されていても良い。もちろん、光学フィルム１０と同種の材料で構成されていても良い。
【００４２】
光学フィルム１０は、内視鏡カメラ嵌合部２２２に保持される。また、光学フィルム１０は、連結部材２２０の中心部分、すなわち撮像光の光路上に配置される。また、光学フィルム１０の表裏両面には、後述する反射抑制部１２が形成されている。反射抑制部１２は、内視鏡１１０から内視鏡カメラ１３０に入射される入射光（すなわち、撮像光）の反射を抑制する。これにより、内視鏡カメラ１３０は、より鮮明な撮像画像を生成することができる。言い換えれば、本実施形態では、撮像画像の品質劣化を抑制することができる。また、内視鏡カメラ用ドレープ２００のドレープ部２１０及び連結部材２２０は、内視鏡１１０の着脱状態に関わらず、内視鏡カメラ１３０及び内視鏡カメラケーブル１４０を覆うことができる。したがって、内視鏡カメラ用ドレープ２００は、内視鏡１１０の着脱状態に関わらず、内視鏡カメラ１３０及び内視鏡カメラケーブル１４０を飛沫物から保護することができる。
【００４３】
なお、連結部材２２０の構成は上述した構成に限られない。すなわち、連結部材２２０は、以下の特性を有するものであれば、どのようなものであってもよい。
（１）ドレープ部２１０の先端の開口を閉塞する。
（２）内視鏡１１０及び内視鏡カメラ１３０を着脱可能である。
（３）撮像光の光路上に光学フィルム１０が配置される。
【００４４】
＜２．内視鏡カメラ用ドレープの製造方法＞
つぎに、内視鏡カメラ用ドレープ２００の製造方法について説明する。まず、連結部材２２０のうち、内視鏡カメラ嵌合部２２２及び内視鏡嵌合部２２５を公知の成形方法によって作製する。一方、後述する製造方法によって光学フィルム１０を作製する。ついで、内視鏡カメラ嵌合部２２２の凹溝２２４に光学フィルム１０をはめ込むことで、連結部材２２０を作製する。ついで、連結部材２２０とドレープ部２１０の先端とを接続（例えば、溶着）する。以上の工程により、内視鏡カメラ用ドレープ２００を作製する。
【００４５】
＜３．各種変形例＞
（３−１．第１の変形例）
次に、図２に基づいて、内視鏡装置１００の第１の変形例について説明する。第１の変形例では、光学フィルム１０の内視鏡１１０側の露出面（すなわち、内視鏡１１０に対向する面）を保護フィルム３００で覆う。これにより、内視鏡カメラ用ドレープ２００の未使用時に光学フィルム１０を汚れ等から保護することができる。なお、光学フィルム１０は曇り抑制機能を有している場合があるが、保護フィルム３００は、必ずしも曇り抑制機能を有している必要はない。また、保護フィルム３００は、光学フィルム１０と同等またはそれ以上の反射抑制機能を有することが好ましい。保護フィルム３００の反射抑制機能を高める方法としては、例えば、保護フィルム３００上に凹凸構造を設け、凹凸のピッチを反射抑制部１２の凹凸のピッチよりも小さくする方法等が挙げられる。この場合、保護フィルム３００によって光学フィルム１０の反射抑制機能が阻害されにくくなる。したがって、光学フィルム１０を保護フィルム３００で覆った状態であっても、光学フィルム１０の反射抑制機能をより正確に評価することができる。したがって、内視鏡カメラ用ドレープ２００の品質（具体的には、反射抑制機能及び清潔性）をより安定して向上させることができる。
【００４６】
また、保護フィルム３００は、色付きであってもよい。この場合、内視鏡カメラ用ドレープ２００の使用時に保護フィルム３００の除去忘れをより確実に防止することができる。
【００４７】
（３−２．第２の変形例）
次に、図３に基づいて、内視鏡装置１００の第２の変形例について説明する。第２の変形例では、連結部材２２０が光学フィルム１０の一体成型品となっている。したがって、連結部材２２０は、光学フィルム１０で構成される。第２の変形例では、撮像光は、連結部材２２０の中心部分１０ａを通る。第２の変形例では、連結部材２２０の部品点数を低減させることができるので、連結部材２２０の製造コストを低減させることができる。また、図１の場合では、光学フィルム１０と凹溝２２４との間でがたつきが生じる可能性がある。そして、このようながたつきが生じると、光学フィルム１０の位置ずれ、傾斜等が生じうる。そして、光学フィルム１０の位置ずれ、傾斜等が生じると、撮像画像の品質が劣化する可能性がある。一方、本第２の変形例では、光学フィルム１０の位置ずれ、傾斜等が生じにくいので、撮像画像の品質をより向上させることができる。もちろん、図１の場合であっても、従来に比べて撮像画像の品質が向上する。また、第２の変形例では、連結部材２２０による気密性をより高めることができる。
【００４８】
連結部材２２０を一体成型する方法は特に制限されないが、反射抑制部１２の損傷を抑制するという観点からは、真空成型もしくは圧空成型が好ましい。また、内視鏡カメラ嵌合部２２２の外周面２２３ｂは、真空成型もしくは圧空成型時に波打つ可能性がある。そこで、内視鏡カメラ嵌合部２２２を実際の寸法よりも大きめに作製し、その後、内視鏡カメラ嵌合部２２２をトリミングしてもよい。
【００４９】
（３−３．第３の変形例）
次に、図４に基づいて、内視鏡装置１００の第３の変形例について説明する。第３の変形例では、保護フィルム３００が連結部材２２０の表面形状に沿った形状を有する成型品となっている。具体的には、保護フィルム３００は、内視鏡嵌合部２２５の内周底面２２５ｃ、内視鏡カメラ嵌合部２２２の内視鏡１１０側の表面、及び中心部分１０ａの内視鏡１１０側の表面の形状に沿った形状を有する。保護フィルム３００の成型方法は特に問われず、従来の成型方法であればいずれの成型方法であってもよい。保護フィルム３００が有する機能は、第１の変形例と同様であることが好ましい。なお、図４では、連結部材２２０が第２の変形例に係る一体成型品となっている。もちろん、保護フィルム３００は、図１に示す連結部材２２０を覆うものであってもよい。また、第２の変形例に係る連結部材２２０を第１の変形例に係る保護フィルム３００で覆っても良い。
【００５０】
（３−４．第４の変形例）
次に、図５に基づいて、内視鏡装置１００の第４の変形例について説明する。第４の変形例では、連結部材２２０の貫通孔２２６が閉塞部１０ｂによって閉塞されている。ここで、閉塞部１０ｂは、内視鏡カメラ嵌合部２２２および内視鏡嵌合部２２５と一体成型されている。また、連結部材２２０は、透明性を有する材料で構成される。ここで、透明性を有する材料としては、構成する基材フィルム１１を構成する材料が挙げられる。連結部材２２０を一体成型する方法は第２の変形例と同様であれば良い。そして、閉塞部１０ｂの表裏両面に光学フィルム１０が貼り付けられる。光学フィルム１０は、例えば透明性を有する接着剤（例えば両面テープ等）によって閉塞部１０ｂに貼り付けられる。なお、光学フィルム１０は、閉塞部１０ｂの表裏両面のうち、いずれか一方のみに設けられてもよい。
【００５１】
＜４．医療システム＞
図１〜図５に示す内視鏡装置１００は、任意の医療システムに適用することができる。例えば、内視鏡装置１００は、手術台、表示装置等を備えた医療システムに適用することができる。この場合、内視鏡カメラケーブル１４０を表示装置に接続して内視鏡装置１００を使用する。
【００５２】
＜５．光学フィルムの構成＞
次に、図６及び図７に基づいて、光学フィルム１０の詳細構成について説明する。光学フィルム１０は、上述したように、撮像光の反射を抑制する部材である。光学フィルム１０は、基材フィルム１１と、反射抑制部１２とを備える。
【００５３】
（５−１．基材フィルムの構成）
基材フィルム１１は、少なくとも透明性を有する材料で構成される。基材フィルム１１を構成する材料は、透明性を有するものであれば特に制限されない。基材フィルム１１を構成する材料としては、例えばプラスチック材料等が挙げられる。
【００５４】
ここで、基材フィルム１１に適用可能なプラスチック材料としては、例えば、メチルメタクリレート（共）重合体、ポリカーボネート、トリアセチルセルロース、ポリエチレン、ポリエチレンテレフタレート、ポリエチレンナフタレート、ポリスチレン、スチレン（共）重合体、メチルメタクリレート−スチレン共重合体、ポリメチルメタクリレート、セルロースジアセテート、セルローストリアセテート、セルロースアセテートブチレート、ポリビニルアルコール、ポリエステル、ポリアミド、ポリイミド、ポリエーテルスルフォン、シクロオレフィン、ポリスルフォン、ポリプロピレン、ポリメチルペンテン、ポリ塩化ビニル、ポリビニルアセタール、ポリエーテルケトン、ポリウレタン、ガラス等が挙げられる。これらのうち、特に好ましい材料はポリカーボネートである。基材フィルム１１をポリカーボネートで構成することで、基材フィルム１１、ひいては光学フィルム１０の透明性をより高めることができる。また、ポリカーボネートは、加工容易性、耐衝撃性、汎用性の観点からも好ましい材料である。
【００５５】
基材フィルム１１が上記のプラスチック材料で構成される場合、基材フィルム１１は、上記のプラスチック材料を伸延、あるいは溶剤に希釈後フィルム状に成膜して乾燥するなどの方法で作製される。
【００５６】
基材フィルム１１の厚さは特に制限されず、連結部材２２０に要求される特性（例えば、耐久性）等に応じて適宜決定されればよい。なお、本実施形態「フィルム」には、「シート」、「プレート」等が含まれるものとする。
【００５７】
（５−２．反射抑制部の構成）
つぎに、反射抑制部１２の構成について説明する。反射抑制部１２は、光学フィルム１０の表面（ここでは、表裏両面）に形成された凹凸構造である。もちろん、反射抑制部１２は、この例に限られず、撮像光の反射を抑制する機能を有するものであればどのようなものであってもよい。
【００５８】
反射抑制部１２は、具体的には、基材フィルム１１の膜厚方向に凸である複数の凸部１２ａと、基材フィルム１１の膜厚方向に凹である複数の凹部１２ｂとを有する。凸部１２ａ及び凹部１２ｂは、基材フィルム１１上に周期的に配置される。図７の例では、凸部１２ａ及び凹部１２ｂは千鳥格子状に配置される。もちろん、凸部１２ａ及び凹部１２ｂは他の配列パターンで配置されていても良い。例えば、凸部１２ａ及び凹部１２ｂは矩形格子状に配置されていても良い。また、凸部１２ａ及び凹部１２ｂは、ランダムに配置されていてもよい。凸部１２ａ及び凹部１２ｂの形状は特に制限されない。凸部１２ａ及び凹部１２ｂの形状は、例えば錐体状、柱状、針状であってもよい。なお、凹部１２ｂの形状は、凹部１２ｂの内壁面によって形成される形状を意味する。
【００５９】
反射抑制部１２の凹凸の平均周期は、可視光波長以下（例えば、８３０ｎｍ以下）であり、好ましくは、１００ｎｍ以上３５０ｎｍ以下であり、さらに好ましくは１５０ｎｍ以上２８０ｎｍ以下である。したがって、反射抑制部１２は、いわゆるモスアイ構造となっている。ここで、平均周期が１００ｎｍ未満である場合、反射抑制部１２の形成が困難になる可能性があるため好ましくない。また、平均周期が３５０ｎｍを超える場合、可視光の回折現象が生じる可能性があるため好ましくない。
【００６０】
反射抑制部１２の平均周期は、互いに隣り合う凸部１２ａ間及び凹部１２ｂ間の距離（いわゆる凹凸ピッチ）の算術平均値である。なお、反射抑制部１２の形状は、例えば走査型電子顕微鏡（ＳＥＭ）、あるいは断面透過型電子顕微鏡（断面ＴＥＭ）等によって観察可能である。また、平均周期の算出方法は例えば以下の通りである。すなわち、隣り合う凹部１２ｂの組み合わせ、及び隣り合う凸部１２ａの組み合わせを複数個ピックアップし、これらの距離を測定する。なお、凸部１２ａ間の距離は、凸部１２ａの頂点間距離であればよい。凹部１２ｂ間の距離は、凹部１２ｂの中心点間の距離であればよい。そして、測定値を算術平均することで、平均周期を算出すればよい。なお、図６及び図７では、反射抑制部１２は基材フィルム１１の両面に形成されているが、少なくとも一方の表面に形成されていればよい。さらに、反射抑制部１２の凸部１２ａの高さは、１８０〜２７０ｎｍ程度であってもよく、好ましくは２００〜２５０ｎｍである。凸部１２ａの高さは、例えば断面ＳＥＭによって観察可能である。
【００６１】
反射抑制部１２は、硬化性樹脂の硬化物で構成される。硬化性樹脂の硬化物は、少なくとも透明性を有することが求められる。例えば、硬化性樹脂の硬化物の屈折率は、基材フィルム１１と同程度であることが好ましい。この場合、光学フィルム１０の内部反射を抑制することができるので、撮像画像の品質劣化をより確実に抑制することができる。
【００６２】
硬化性樹脂は、重合性化合物と硬化開始剤とを含む。重合性化合物は、硬化開始剤によって重合することで硬化する樹脂である。硬化性樹脂は、親水性の樹脂であることが好ましい。この場合、反射抑制部１２は、光学フィルム１０の曇りをさらに抑制することができる。すなわち、反射抑制部１２は、凹凸のピッチが可視光波長以下である凹凸構造となっているので、平坦なフィルムよりも高い曇り抑制機能を有する。すなわち、反射抑制部１２は、曇り抑制部としての機能も有する。ただし、さらに反射抑制部１２の曇り抑制機能を高めるためには、硬化性樹脂は、親水性の樹脂であることが好ましい。
【００６３】
すなわち、内視鏡装置１００の使用環境によっては、内視鏡カメラ用ドレープ２００の内部の湿度が上昇する可能性がある。例えば、手術室の温湿度環境の変化によって内視鏡カメラ用ドレープ２００の内部の湿度が上昇する可能性がある。また、水を使用する手術でも、内視鏡カメラ用ドレープ２００の内部の湿度が上昇する可能性がある。そして、内視鏡カメラ用ドレープ２００の内部の湿度が上昇した場合、光学フィルム１０の表面が曇りやすくなる。そして、光学フィルム１０の表面に曇り、結露等が発生すると、撮像画像の品質が劣化する可能性がある。したがって、光学フィルム１０には高い曇り抑制機能が求められる場合がある。したがって、硬化性樹脂は、親水性の樹脂であることが好ましい。
【００６４】
このような観点から、重合性化合物は、親水性モノマー（あるいは、これらの親水性モノマーからなるオリゴマー、プレポリマー）であることが好ましい。親水性モノマーとしては、例えば、ポリオキシアルキル含有（メタ）アクリレート、４級アンモニウム塩含有（メタ）アクリレート、３級アミノ基含有（メタ）アクリレート、スルホン酸基含有モノマー、カルボン酸基含有モノマー、リン酸基含有モノマー、ホスホン酸基含有モノマーなどが挙げられる。ここで、（メタ）アクリレートとは、アクリレート又はメタアクリレートを意味する。（メタ）アクリロイル、（メタ）アクリルについても同様である。
【００６５】
ポリオキシアルキル含有（メタ）アクリレートとしては、例えば、多価アルコール（ポリオール又はポリヒドロキシ含有化合物）と、アクリル酸、メタクリル酸及びそれらの誘導体からなる群から選択される化合物との反応によって得られるモノ若しくはポリアクリレート、又はモノ若しくはポリメタクリレートなどが挙げられる。多価アルコールとしては、例えば、２価のアルコール、３価のアルコール、４価以上のアルコールなどが挙げられる。２価のアルコールとしては、例えば、エチレングリコール、ジエチレングリコール、トリエチレングリコール、テトラエチレングリコール、数平均分子量が３００〜１，０００のポリエチレングリコール、プロピレングリコール、ジプロピレングリコール、１，３−プロパンジオール、１，４−ブタンジオール、１，５−ペンタンジオール、１，６−ヘキサンジオール、ネオペンチルグリコール、２−エチル−１，３−ヘキサンジオール、２，２’−チオジエタノール、１，４−シクロヘキサンジメタノールなどが挙げられる。３価のアルコールとしては、例えば、トリメチロールエタン、トリメチロールプロパン、ペンタグリセロール、グリセロール、１，２，４−ブタントリオール、１，２，６−ヘキサントリオールなどが挙げられる。４価以上のアルコールとしては、例えば、ペンタエリスリトール、ジグリセロール、ジペンタエリスリトールなどが挙げられる。
【００６６】
ポリオキシアルキル含有（メタ）アクリレートとしては、例えば、ポリエチレングリコール（メタ）アクリレート、ポリプロピレングリコール（メタ）アクリレートなどが挙げられる。ポリエチレングリコール（メタ）アクリレートとしては、例えば、メトキシポリエチレングリコール（メタ）アクリレートなどが挙げられる。ポリエチレングリコール（メタ）アクリレートにおけるポリエチレングリコールユニットの分子量としては、特に制限はなく、目的に応じて適宜選択することができ、例えば、３００〜１，０００などが挙げられる。メトキシポリエチレングリコール（メタ）アクリレートとしては、各種の市販品を用いることもできる。
【００６７】
これらの中でも、ポリエチレングリコール（メタ）アクリレートが好ましく、メトキシポリエチレングリコール（メタ）アクリレートがより好ましい。
【００６８】
４級アンモニウム塩含有（メタ）アクリレートとしては、例えば、（メタ）アクリロイルオキシエチルトリメチルアンモニウムクロライド、（メタ）アクリロイルオキシエチルジメチルベンジルアンモニウムクロライド、（メタ）アクリロイルオキシエチルジメチルグリシジルアンモニウムクロライド、（メタ）アクリロイルオキシエチルトリメチルアンモニウムメチルサルフェート、（メタ）アクリロイルオキシジメチルエチルアンモニウムエチルサルフェート、（メタ）アクリロイルオキシエチルトリメチルアンモニウム−ｐ−トルエンスルフォネート、（メタ）アクリルアミドプロピルトリメチルアンモニウムクロライド、（メタ）アクリルアミドプロピルジメチルベンジルアンモニウムクロライド、（メタ）アクリルアミドプロピルジメチルグリシジルアンモニウムクロライド、（メタ）アクリルアミドプロピルトリメチルアンモニウムメチルサルフェート、（メタ）アクリルアミドプロピルジメチルエチルアンモニウムエチルサルフェート、（メタ）アクリルアミドプロピルトリメチルアンモニウム−ｐ−トルエンスルフォネートなどが挙げられる。
【００６９】
３級アミノ基含有（メタ）アクリレートとしては、例えば、Ｎ，Ｎ−ジメチルアミノエチル（メタ）アクリレート、Ｎ，Ｎ−ジメチルアミノプロピル（メタ）アクリルアミド、ジエチルアミノプロピル（メタ）アクリルアミド、１，２，２，６，６−ペンタメチルピペリジル（メタ）アクリレート、２，２，６，６−テトラメチルピペリジル（メタ）アクリレートなどが挙げられる。
【００７０】
スルホン酸基含有モノマーとしては、例えば、ビニルスルホン酸、アリルスルホン酸、ビニルトルエンスルホン酸、スチレンスルホン酸、スルホン酸基含有（メタ）アクリレートなどが挙げられる。スルホン酸基含有（メタ）アクリレートとしては、例えば、（メタ）アクリル酸スルホエチル、（メタ）アクリル酸スルホプロピル、２−アクリルアミド−２−メチルプロパンスルホン酸、末端スルホン酸変性ポリエチレングリコールモノ（メタ）クリレートなどが挙げられる。これらは、塩を形成していてもよい。塩としては、例えば、ナトリウム塩、カリウム塩、アンモニウム塩などが挙げられる。
【００７１】
カルボン酸基含有モノマーとしては、例えば、アクリル酸、メタクリル酸などが挙げられる。リン酸基含有モノマーとしては、例えば、リン酸エステルを有する（メタ）アクリレートなどが挙げられる。親水性モノマーは、単官能の親水性モノマーであることが好ましい。親水性モノマーの分子量としては、特に制限はなく、目的に応じて適宜選択することができるが、２００以上が好ましい。硬化性樹脂に占める親水性モノマーの含有量としては、特に制限はなく、目的に応じて適宜選択することができるが、硬化性樹脂の総質量に対して１５質量％〜９９．９質量％が好ましく、２０質量％〜９０質量％がより好ましく、２５質量％〜５０質量％が特に好ましい。
【００７２】
親水性モノマーの代わりに、アジド基、フェニルアジド基、キノンアジド基、スチルベン基、カルコン基、ジアゾニウム塩基、ケイ皮酸基、アクリル酸基等から選択された１つ以上を含む感光基を導入したポリマーを用いてもよい。ポリマーとしては、例えば、ポリビニルアルコール系、ポリビニルブチラール系、ポリビニルピロリドン系、ポリアクリルアミド系、ポリ酢酸ビニル系ポリマー、ポリオキシアルキレン系ポリマーなどが挙げられる。
【００７３】
なお、硬化性樹脂は上記の例に限られない。例えば、硬化性樹脂は、モスアイ構造の作製に使用される樹脂であればどのようなものであってもよい。上記以外の硬化性樹脂の例としては、例えば、エポキシ重合性化合物等が挙げられる。エポキシ重合性化合物は、分子内に１つまたは２つ以上のエポキシ基を有するモノマー、オリゴマー、またはプレポリマーである。エポキシ重合性化合物としては、各種ビスフェノール型エポキシ樹脂（ビスフェノールＡ型、Ｆ型等）、ノボラック型エポキシ樹脂、ゴムおよびウレタン等の各種変性エポキシ樹脂、ナフタレン型エポキシ樹脂、ビフェニル型エポキシ樹脂、フェノールノボラック型エポキシ樹脂、スチルベン型エポキシ樹脂、トリフェノールメタン型エポキシ樹脂、ジシクロペンタジエン型エポキシ樹脂、トリフェニルメタン型エポキシ樹脂、及びこれらのプレポリマー等が挙げられる。
【００７４】
硬化開始剤は、硬化性樹脂を硬化させる材料である。硬化開始剤の例としては、例えば、熱硬化開始剤、光硬化開始剤等が挙げられる。硬化開始剤は、熱、光以外の何らかのエネルギー線（例えば電子線）等によって硬化するものであってもよい。硬化開始剤が熱硬化開始剤となる場合、硬化性樹脂は熱硬化性樹脂となり、硬化開始剤が光硬化開始剤となる場合、硬化性樹脂は光硬化性樹脂となる。
【００７５】
ここで、硬化開始剤は、紫外線硬化開始剤であることが好ましい。したがって、硬化性樹脂は、紫外線硬化性樹脂であることが好ましい。紫外線硬化開始剤は、光硬化開始剤の一種である。紫外線硬化開始剤としては、例えば、２，２−ジメトキシ−１，２−ジフェニルエタン−１−オン、１−ヒドロキシ−シクロヘキシルフェニルケトン、２−ヒドロキシ−２−メチル−１−フェニルプロパン−１−オンなどが挙げられる。
【００７６】
硬化性樹脂は、光学フィルム１０に求められる特性等に応じて各種の添加剤を添加してもよい。このような添加剤としては、例えば、無機フィラー、有機フィラー、レベリング剤、表面調整剤、消泡剤などが挙げられる。なお、無機フィラーの種類としては、例えば、ＳｉＯ２、ＴｉＯ２、ＺｒＯ２、ＳｎＯ２、Ａｌ２Ｏ３などの金属酸化物微粒子が挙げられる。
【００７７】
図６、図７では、基材フィルム１１の両面に反射抑制部１２が形成されている。これらの反射抑制部１２の材質、特性は同じであっても良いが、異なっていてもよい。すなわち、光学フィルム１０に求められる特性等に応じてこれらの反射抑制部１２の材質、特性を決定すれば良い。例えば、基材フィルム１１の表裏両面のうち、内視鏡カメラ用ドレープ２００の内部に対向する面上に形成される反射抑制部１２は、親水性の樹脂で構成されても良い。上述したように、内視鏡カメラ用ドレープ２００の内部の湿度が上昇する可能性があるからである。
【００７８】
このように、本実施形態に係る光学フィルム１０は、反射抑制部１２を備えるので、光学フィルム１０に優れた反射防止機能を付与することができる。具体的には、撮像光が光学フィルム１０の表面に入射する際に、撮像光の進行方向上の屈折率が連続的に変化する。なお、撮像光の進行方向上のいずれかの部分で屈折率が急激に変化する場合、その部分が光学的な界面となる。そして、その部分で撮像光が反射する。本実施形態では、光学フィルム１０の表面には反射抑制部１２が形成されているので、この部分で屈折率が連続的に変化する。すなわち、光学フィルム１０の表面は光学的な界面になりにくい。このため、光学フィルム１０は撮像光を反射しにくい。
【００７９】
なお、照射光が可視光となる場合、可視光の分光反射率は０．１〜１．８％であることが好ましい。反射抑制部１２を上述した構成とすることで、可視光の分光反射率を０．１〜１．８％とすることができる。また、全光線透過率は９０％以上であることが好ましく、９５％以上であることがより好ましい。ここで、反射抑制部１２は基材フィルム１１と一体形成されてもよい。この場合、基材フィルム１１は、反射抑制部１２を構成する材料、すなわち硬化性樹脂で構成される。
【００８０】
＜６．光学フィルムの製造方法＞
光学フィルムの製造方法は特に制限されず、上述した反射抑制部１２を基材フィルム１１上に形成できる方法であれば特に制限されない。光学フィルムの製造方法は、概略的には、基材フィルム１１を準備する第１の工程と、基材フィルム１１上に反射抑制部１２を形成する第２の工程とに区分される。第２の工程の例としては、反射抑制部１２の凹凸構造の反転形状を有する凹凸構造が周面に形成された原盤を用意し、この原盤の凹凸構造を基材フィルム１１に転写する工程等が挙げられる。
【００８１】
ここで、原盤を用意する方法は特に制限されない。例えば、熱リソグラフィ及びドライエッチングにより原盤を作製してもよい。この方法では、概略的には、まず、原盤基材の表面にレジスト層を形成する。そして、レーザ光をレジスト層に照射し、その後現像することで、レジスト層に凹凸構造を形成する。ついで、レジスト層をマスクとしてドライエッチングを行うことで、原盤基材の表面に凹凸構造を形成する。これにより、原盤を作製する。なお、レジスト層の凹凸構造を基材フィルムに転写してもよい。
【００８２】
また、陽極酸化法により原盤を作製してもよい。陽極酸化法による原盤の製造方法は、例えば特開２０１３−１４２８０２号公報に開示されている。この方法では、原盤基材を陽極酸化処理することで、原盤基材の表面に凹凸構造を形成する。これにより、原盤を作製する。凹凸構造のピッチは、陽極酸化処理時の化成電圧によってコントロール可能である。なお、特開２０１３−１４２８０２号公報では、化成電圧が互いに異なる２段階の陽極酸化処理を行っているが、本実施形態はこの方法に限定されない。
【００８３】
また、原盤基材を機械的に切削加工することで、原盤を作製してもよい。原盤基材を機械的に切削加工する方法は、例えば特開２００４−２２３８３６号公報に開示されている。この方法では、ダイヤモンドバイト等のバイトを用いて原盤基材の表面を切削加工することで、原盤基材の表面に凹凸構造を形成する。なお、特開２００４−２２３８３６号公報に開示された方法では、円筒形状の原盤基材の表面に互いに交差する螺旋溝を形成することで原盤基材の表面に凹凸構造を形成しているが、本実施形態はこの方法に限定されない。
【００８４】
原盤の形状は特に制限されないが、円筒形状あるいは円柱形状であってもよい。この場合、ロール・ツー・ロールによって光学フィルムを連続的に作製することができる。
【００８５】
また、原盤の凹凸構造を基材フィルム１１に転写する方法も特に制限されない。例えば、基材フィルム１１上に未硬化の硬化性樹脂層を形成し、この硬化性樹脂層に原盤の凹凸構造を転写する。ついで、硬化性樹脂層を硬化させればよい。また、基材フィルム１１に直接原盤の凹凸構造を転写してもよい。この場合、基材フィルム１１を例えば熱可塑性樹脂で形成する。そして、基材フィルム１１を加熱することで軟化させ、原盤の凹凸構造を基材フィルム１１に転写する。
【００８６】
また、原盤を用いずに第２の工程を行っても良い。この場合、例えば、まず、基材フィルム１１上にレジスト層を形成する。ついで、レジスト層を露光、現像することで、基材フィルム１１上に反射抑制部１２を形成する。
【実施例】
【００８７】
＜１．連結部材の作製＞
以下の工程により、実施例１〜３、比較例、および参考例に係る連結部材を作製した。実施例１では、真空成型により図５に示す構造を有する内視鏡カメラ嵌合部、内視鏡嵌合部、および閉塞部（すなわち、連結部材のうち、光学フィルム以外の部分）を作製した。内視鏡カメラ嵌合部、内視鏡嵌合部、および閉塞部の材料はポリエチレンテレフタレート（ＰＥＴ）とした。一方、以下の工程により光学フィルムを作製した。すなわち、基材フィルムとしてポリカーボネートフィルム（帝人社製パンライト）を準備した。さらに、反射抑制部の凹凸構造の反転形状を有する原盤を準備した。ここで、反射抑制部の凹凸構造の配列パターンは千鳥格子とした。また、反射抑制部の凹凸ピッチを２３０〜２７０ｎｍとした。また、凸部の高さを２００〜２５０ｎｍとした。そして、この原盤を用いて基材フィルムの表裏両面に反射抑制部を形成した。ここで、硬化性樹脂として、東亞合成社製の紫外線硬化型アクリル樹脂組成物を使用した。これにより、光学フィルムを作製した。ついで、両面テープ（東電工社製ＬＵＣＩＡＣＳ２５ミクロン）を用いて閉塞部の表裏両面に光学フィルムを貼り付けた。以上の工程により、実施例１に係る連結部材を作成した。
【００８８】
実施例２では、閉塞部の内視鏡側の表面のみに光学フィルムを貼り付けた他は実施例１と同様の工程を行うことで、実施例２に係る連結部材を作製した。実施例３では、閉塞部の内視鏡カメラ側の表面のみに貼り付けた他は、実施例１と同様の工程をおこなうことで、実施例３に係る連結部材を作製した。比較例では、光学フィルムの代わりに反射抑制部が形成されていないＰＥＴフィルムを閉塞部の両面に貼り付けた他は、実施例１と同様の工程を行うことで、比較例に係る連結部材を作製した。参考例では、図１に示す連結部材から光学フィルムを取り外したもの（つまり、光学フィルムが存在する箇所が空洞となっているもの）を連結部材とした。
【００８９】
＜２．光学特性の評価＞
つぎに、実施例１〜３および比較例に係る連結部材の光学特性を評価した。具体的には、連結部材の中心部分（すなわち、光学フィルムまたはＰＥＴフィルムが取り付けられている部分）の全光線透過率（％）およびヘイズ値（％）を評価した。ここで、全光線透過率はＪＩＳ  Ｋ７３６１に準拠して測定し、ヘイズ値はＪＩＳ  Ｋ７１３６に準拠して測定した。そして、全光線透過率に関しては、全光線透過率が（９５％以上）となる場合にＶＧ（Ｖｅｒｙ  Ｇｏｏｄ）と評価し、全光線透過率が（９０％以上９５％未満）となる場合にＧ（Ｇｏｏｄ）と評価し、全光線透過率が（９０％未満）となる場合にＢ（Ｂａｄ）と評価した。また、ヘイズ値に関しては、ヘイズ値が（１．０％以下）となる場合にＶＧ（Ｖｅｒｙ  Ｇｏｏｄ）と評価し、ヘイズ値が（１．０％超１．２％以下）となる場合にＧ（Ｇｏｏｄ）と評価し、ヘイズ値が（１．２％超）となる場合にＢ（Ｂａｄ）と評価した。
【００９０】
この結果、実施例１では、全光線透過率およびヘイズ値のいずれもＶＧとなり、実施例２、３では、全光線透過率およびヘイズ値のいずれもＧとなった。一方、比較例では、全光線透過率およびヘイズ値のいずれもＢとなった。
【００９１】
＜３．画像評価＞
つぎに、実施例１〜３、および比較例に係る連結部材を内視鏡装置に適用した際の画像の見え方について評価した。具体的には、内視鏡（ストライカー社製ＰＥＲＥＣＩＳＩＯＮＩＥラパロスコープ）と、内視鏡カメラ（ストライカー社製Ｈｉｇｈ  Ｄｅｆｉｎｉｔｉｏｎ  １４８８ＨＤ）と、実施例１〜３、比較例、および参考例に係る連結部材とを用いて内視鏡装置を組み立てた。内視鏡カメラ用ドレープは省略した。ついで、紙面に描かれたサンプル絵に内視鏡の先端から照射光を照射し、撮像光を内視鏡カメラに入射させた。そして、内視鏡カメラが撮像した画像を表示装置に表示させた。そして、表示装置に表示された画像の品質を目視で評価した。具体的には、参考例で得られた画像を基準として、実施例１〜３、比較例で得られた画像を評価した。この結果、実施例１〜３では、参考例の画像と遜色ない品質の画像が得られたが、比較例で得られた画像は、参考例の画像よりも品質が大きく低下した。特に、比較例の画像は、参考例の画像に比べてぼやけが大きくなった。また、実施例１〜３を比較すると、実施例１のぼやけが最も小さくなった。このぼやけに関しては、上述した全光線透過率およびヘイズ値が大きく影響しているものと想定される。以上の結果により、実施例１〜３に係る連結部材は、内視鏡装置に非常に好適であることが明らかとなった。
【００９２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００９３】
１０      光学フィルム
１１      基材フィルム
１２      反射抑制部
１００    内視鏡装置
１１０    内視鏡
１１１    ベース部
１１２    挿入部
１２０    光照射用ケーブル
１３０    内視鏡カメラ
１３５    連結部材嵌合部
１４０    内視鏡カメラケーブル
２００    内視鏡カメラ用ドレープ
２１０    ドレープ部
２２０    連結部材
２２２    内視鏡カメラ嵌合部
２２５    内視鏡嵌合部
【図１】
0006800694.tif 000002
【図２】
0006800694.tif 000003
【図３】
0006800694.tif 000004
【図４】
0006800694.tif 000005
【図５】
0006800694.tif 000006
【図６】
0006800694.tif 000007
【図７】
0006800694.tif 000008